(57)【要約】      （修正有）【課題】複数の指向性スピーカを持つ撮像装置で、被写体に対して、撮影範囲など撮像に関する有益な情報を提供する。【解決手段】撮像装置１０は、被写体を撮像して画像情報を出力する撮像部１６と、撮像側の第１出力領域に前記撮像部の撮像に関する音を出力する第１指向性スピーカと、前記第１出力領域と異なる撮像側の第２出力領域に前記撮像部の撮像に関する音を出力する第２指向性スピーカと、前記第１指向性スピーカと前記第２指向性スピーカとに、異なる音を出力させるスピーカ制御部とを備える。【選択図】図１
2013251751.tif 000002
【特許請求の範囲】
【請求項１】
被写体を撮像して画像情報を出力する撮像部と、
撮像側の第１出力領域に前記撮像部の撮像に関する音を出力する第１指向性スピーカと、
前記第１出力領域と異なる撮像側の第２出力領域に前記撮像部の撮像に関する音を出力する第２指向性スピーカと、
前記第１指向性スピーカと前記第２指向性スピーカとに、異なる音を出力させるスピーカ制御部と
を備える撮像装置。
【請求項２】
前記第１指向性スピーカの向きを変化させて、前記第１出力領域を移動させる第１駆動部と、
前記第２指向性スピーカの向きを変化させて、前記第２出力領域を移動させる第２駆動部と
を更に備え、
前記スピーカ制御部は、前記第１駆動部及び前記第２駆動部を制御して、前記第１出力領域及び前記第２出力領域を移動させる
請求項１に記載の撮像装置。
【請求項３】
前記第１駆動部は、前記第１出力領域を２方向で移動させ、
前記第２駆動部は、前記第２出力領域を２方向で移動させる
請求項２に記載の撮像装置。
【請求項４】
前記画像情報を取得して、前記画像情報から撮像領域を判定する画像判定部を更に備え、
前記スピーカ制御部は、
前記第１駆動部及び前記第２駆動部を制御して、前記第１指向性スピーカの前記第１出力領域及び前記第２指向性スピーカの前記第２出力領域を前記撮像領域に対応付けて移動させるとともに、前記撮像領域に対応付けて音を出力させる
請求項２または３に記載の撮像装置。
【請求項５】
前記画像情報を取得して、前記画像情報から人物の位置を判定して、位置情報を出力する画像判定部を更に備え、
前記スピーカ制御部は、前記画像判定部から前記位置情報を取得して、前記第１駆動部を駆動させることにより、前記人物の位置に前記第１指向性スピーカを向けて、音を出力する
請求項２から４のいずれか１項に記載の撮像装置。
【請求項６】
前記画像判定部は、前記画像情報に含まれる前記人物の年齢を判定して、年齢情報を出力し、
前記スピーカ制御部は、前記年齢に応じた異なる音を、前記第１指向性スピーカ及び前記第２指向性スピーカに出力させる
請求項５に記載の撮像装置。
【請求項７】
前記画像判定部は、前記画像情報に含まれる前記人物の表情を判定して、表情情報を出力し、
前記スピーカ制御部は、
前記人物に前記第１指向性スピーカを向けて、複数の音を出力して、前記表情情報が笑顔となった場合の音の出力を継続する
請求項５または６に記載の撮像装置。
【請求項８】
ユーザによって指定された撮像領域内の位置を指定位置情報として出力する位置指定部を更に備え、
前記スピーカ制御部は、前記位置指定部から取得した前記指定位置情報と、前記画像判定部から取得した前記位置情報とを比較して、前記ユーザが指定した位置と、前記ユーザの位置とが異なる場合、前記第１駆動部を制御することにより、前記人物の位置に前記第１指向性スピーカを向けて、音を出力する
請求項５から７のいずれか１項に記載の撮像装置。
【発明の詳細な説明】
【技術分野】
【０００１】
本発明は、撮像装置に関する。
【背景技術】
【０００２】
指向性スピーカを有し、狭い領域と、広い領域とに音の出力領域を変更できる撮像装置が知られている（例えば、特許文献１参照）。
［特許文献１］  特開２０１０−４４２７７号公報
【発明の概要】
【発明が解決しようとする課題】
【０００３】
しかしながら、上述の撮像装置では、広狭の違いはあるものの、同じ音を出力するので、音の出力の自由度が低いといった課題がある。
【課題を解決するための手段】
【０００４】
本発明の第１の態様においては、被写体を撮像して画像情報を出力する撮像部と、撮像側の第１出力領域に前記撮像部の撮像に関する音を出力する第１指向性スピーカと、前記第１出力領域と異なる撮像側の第２出力領域に前記撮像部の撮像に関する音を出力する第２指向性スピーカと、前記第１指向性スピーカと前記第２指向性スピーカとに、異なる音を出力させるスピーカ制御部とを備える撮像装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置１０の正面図である。
【図２】撮像装置１０の制御系を説明するブロック図である。
【図３】制御部３４によって実行される音出力処理のフローチャートである。
【図４】撮像領域に対する音の出力を説明する平面図である。
【図５】一部を変更した音出力処理のフローチャートである。
【図６】人物８６、８８に対する音の出力を説明する平面図である。
【図７】一部を変更した音出力処理のフローチャートである。
【図８】一部を変更した音出力処理のフローチャートである。
【図９】一部を変更した音出力処理のフローチャートである。
【図１０】人物が適切な位置にいるか否かの判定を説明する図である。
【図１１】人物が適切な位置にいるか否かの判定を説明する図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置１０の正面図である。図１に矢印で示す上下左右を、撮像装置１０の上下左右方向とする。また、紙面表側を撮像装置１０の前方及び撮像側とする。撮像装置１０は、筐体１２と、レンズ１４と、撮像部１６と、一対の指向性スピーカ１８及び指向性スピーカ２０と、画像表示部２２と、入力部２４とを備える。
【０００９】
筐体１２は、中空の直方体形状に構成されている。筐体１２は、レンズ１４、撮像部１６、指向性スピーカ１８、２０、画像表示部２２、入力部２４を収容するとともに保持する。
【００１０】
レンズ１４は、撮像側に向けられた状態で、筐体１２の前面に設けられている。レンズ１４は、被写体光束を筐体１２の内部へと導く。
【００１１】
撮像部１６は、筐体１２の内部であって、レンズ１４の後方に配置されている。撮像部１６は、ＣＣＤセンサまたはＣＭＯＳセンサを有する。撮像部１６は、レンズ１４を通過した被写体光束を受光することにより、被写体を撮像して、電気信号に変換された画像情報を出力する。尚、画像情報は、レンズ１４の倍率情報等も含む。
【００１２】
指向性スピーカ１８は、筐体１２の前面の右下領域に配置されている。指向性スピーカ２０は、筐体１２の前面の左下領域に配置されている。指向性スピーカ１８、２０は、前方に向けられている。
【００１３】
指向性スピーカ１８は、撮像側である前方の出力領域へと撮像に関する音を出力する。また、指向性スピーカ２０は、撮像側である前方の出力領域であって、指向性スピーカ１８の出力領域とは異なる出力領域へと撮像に関する音を出力する。
【００１４】
指向性スピーカ１８、２０は、指向性を有する音を出力する。指向性スピーカ１８、２０の出力領域の広がりは、出力方向の中心に対して１０°から１５°の範囲内である。指向性スピーカ１８、２０は、周波数が一定の超音波と、変調された超音波とを同時に出力して、２つの超音波を重ねることにより、人物に聞こえる音を再生する。指向性スピーカ１８、２０は、指向性を向上させるために複数のトランスデューサが並べられたパラメトリックスピーカが好ましい。指向性スピーカ１８、２０では、複数のトランスデューサが長方形状となるように上下左右方向に沿って等間隔で配列されている。尚、指向性スピーカ１８、２０は、変調させた超音波から非線形特性によって可聴音を生成する方式であってもよい。
【００１５】
指向性スピーカ１８、２０は、撮像に関する音であって、互いに異なる音を出力できる。これにより、指向性スピーカ１８、２０は、筐体１２の前面の異なる領域に配置されているので、互いに異なる出力領域に異なる音を出力できる。
【００１６】
画像表示部２２は、筐体１２の後面に設けられている。画像表示部２２は、液晶表示パネル等を有し、撮像部１６によって撮像された画像等を表示する。
【００１７】
入力部２４は、画像表示部２２の表面に設けられたタッチパネル２６、及び、筐体１２の上部に設けられたシャッターボタン２８を有する。入力部２４は、タッチパネル２６及びシャッターボタン２８を介して、ユーザの指示を受けて、指示信号を出力する。
【００１８】
図２は、撮像装置１０の制御系を説明するブロック図である。図２に示すように、撮像装置１０は、更に、駆動部３０及び駆動部３２と、制御部３４と、記憶部４６とを備える。
【００１９】
駆動部３０、３２は、例えば、超音波モータを有する。尚、駆動部３０、３２は、圧電素子等を有するアクチュエータであってもよい。駆動部３０は、上下及び左右の２方向に指向性スピーカ１８の向きを変化させる。同様に、駆動部３２は、上下及び左右の２方向に指向性スピーカ２０の向きを変化させる。これにより、駆動部３０、３２は、指向性スピーカ１８、２０の出力領域を２方向で、連携してまたは独立して移動させる。
【００２０】
制御部３４は、撮像装置１０の制御全般を司る。制御部３４は、画像処理部４０と、画像判定部４２と、スピーカ制御部４４とを有する。画像処理部４０は、撮像部１６から画像情報を受けて、表示可能な画像情報を画像表示部２２及び画像判定部４２へと出力する。画像表示部２２は、画像情報を取得して、画像を表示する。
【００２１】
画像判定部４２は、画像処理部４０から取得した画像情報に基づいて、撮像領域を判定する。例えば、画像判定部４２は、画像情報に含まれる倍率情報に基づいて、画角を判定して、撮像領域を決定する。尚、画像判定部４２は、倍率情報と画角とが関連付けられて、記憶部４６に格納されたテーブルから取得した倍率情報に対応する画角を抽出する。画像判定部４２は、撮像領域に関する領域情報をスピーカ制御部４４へと出力する。
【００２２】
スピーカ制御部４４は、駆動部３０、３２を制御して、指向性スピーカ１８、２０の向きを変化させて出力領域を移動させる。スピーカ制御部４４は、記憶部４６から音情報を取得するとともに、指向性スピーカ１８、２０を制御して、撮像に関する音を出力させる。例えば、スピーカ制御部４４は、撮像までのタイマ動作中であることを人物に知らせる音楽を指向性スピーカ１８、２０に出力させる。
【００２３】
また、スピーカ制御部４４は、指向性スピーカ１８、２０を制御して、互いに異なる音であって、撮像に関する音を出力させる。例えば、スピーカ制御部４４は、シャッターボタン２８が半押しされると、画像判定部４２から領域情報を取得する。スピーカ制御部４４は、駆動部３０、３２を制御して、指向性スピーカ１８、２０を撮像領域の境界近傍に向ける。そして、スピーカ制御部４４は、人物と撮像領域との位置関係を知らせる音を指向性スピーカ１８、２０に出力させる。ここで、スピーカ制御部４４は、撮像領域の境界の位置、例えば、左側の境界領域と右側の境界領域とで異なる音を指向性スピーカ１８、２０に出力させる。
【００２４】
図３は、制御部３４によって実行される音出力処理のフローチャートである。図４は、撮像領域に対する音の出力を説明する平面図である。
【００２５】
図３に示すように、音出力処理が実行されると、スピーカ制御部４４は、シャッターボタン２８が半押しされたか否かを判定する（Ｓ１０）。スピーカ制御部４４は、シャッターボタン２８が半押しされて、半押しに対応する指示信号を取得すると、半押しされたと判定して（Ｓ１０：Ｙｅｓ）、画像判定部４２に領域判定指示を出力する（Ｓ１２）。
【００２６】
画像判定部４２は、領域判定指示を取得すると、画像処理部４０から画像情報を取得する（Ｓ１４）。画像判定部４２は、取得した画像情報から撮像領域８０を判定して、撮像領域８０の領域情報をスピーカ制御部４４へと出力する（Ｓ１６）。
【００２７】
スピーカ制御部４４は、領域情報を取得すると、図４に示すように、指向性スピーカ１８、２０の出力領域８２、８４を撮像領域８０に対応付けて移動させる。例えば、スピーカ制御部４４は、図４に示すように、駆動部３０を駆動して、撮像領域８０の右側の境界線上に指向性スピーカ１８を向けるとともに、駆動部３２を駆動して、撮像領域８０の左側の境界線上に指向性スピーカ２０を向ける（Ｓ１８）。
【００２８】
スピーカ制御部４４は、指向性スピーカ１８、２０から撮像に関する異なる音であって、撮像領域８０に対応付けた音を出力させる（Ｓ２０）。例えば、スピーカ制御部４４は、撮像領域８０の右側の境界に対応付けて、指向性スピーカ１８から「もう少し左側に寄ってください」と音声を出力する。これにより、撮像領域８０の右側の境界線の近傍にいる人物は、左側に寄る必要があることを認識できる。また、スピーカ制御部４４は、撮像領域８０の左側の境界に対応付けて、指向性スピーカ２０から「もう少し右側に寄ってください」と音声を出力する。これにより、撮像領域８０の左側の境界線の近傍にいる人物は、右側に寄る必要があることを認識できる。
【００２９】
上述の実施形態では、スピーカ制御部４４が、駆動部３０、３２を駆動して、指向性スピーカ１８、２０を撮像領域８０の境界線上に向けるように制御したが、撮像領域８０に対応付けて境界線上以外に指向性スピーカ１８、２０を向けてもよい。例えば、スピーカ制御部４４は、指向性スピーカ１８、２０の一方を撮像領域８０の外側に向けて、「そちらは撮像領域の外側です」と音を出力させるとともに、指向性スピーカ１８、２０の他方を撮像領域８０の内側に向けて、「ここは撮像領域の内側です」と音を出力させてもよい。これにより、撮像領域近傍の人物は、自分が撮像領域の内外のいずれにいるかを認識できる。この場合、スピーカ制御部４４は、指向性スピーカ１８、２０を撮像領域８０の内側と外側との間で駆動させつつ、上述の音を撮像領域８０に対応させて出力させてもよい。
【００３０】
上述したように、撮像装置１０では、スピーカ制御部４４は、異なる方向に、異なる音を指向性スピーカ１８、２０に出力させる。これにより、撮像装置１０は、音の出力の自由度を向上させることができる。
【００３１】
撮像装置１０では、指向性スピーカ１８、２０を駆動させる駆動部３０、３２を備えている。これにより、撮像領域８０が、パノラマ設定による広角状態、ズームによる画角変化等によって変化しても、指向性スピーカ１８、２０を撮像領域８０に対応させることができる。
【００３２】
撮像装置１０では、駆動部３０、３２が、上下左右の２方向に指向性スピーカ１８、２０の向きを変化させることができる。これにより、指向性スピーカ１８、２０の出力領域の自由度を向上させることができる。
【００３３】
図５は、一部を変更した音出力処理のフローチャートである。図６は、人物８６、８８に対する音の出力を説明する平面図である。この音出力処理では、人物へと指向性スピーカ１８、２０を向けて、音を出力する。
【００３４】
図５に示すように、この音出力処理では、スピーカ制御部４４は、シャッターボタン２８が半押しされたと判定すると（Ｓ１０）、画像判定部４２に位置判定指示を出力する（Ｓ３２）。
【００３５】
画像判定部４２は、位置判定指示を取得すると、画像処理部４０から画像情報を取得する（Ｓ１４）。画像判定部４２は、画像情報に基づいて、画像に含まれる人物８６、８８の位置を判定して、人物８６、８８の位置を示す位置情報をスピーカ制御部４４へと出力する（Ｓ３６）。
【００３６】
スピーカ制御部４４は、画像判定部４２から位置情報を取得すると、駆動部３０、３２を駆動させて、指向性スピーカ１８、２０を人物８６、８８の位置へと向ける（Ｓ１８）。ここで、複数の人物８６、８８が検出されている場合、スピーカ制御部４４は、指向性スピーカ１８、２０が異なる人物８６、８８に向くように、駆動部３０、３２を駆動させる。
【００３７】
スピーカ制御部４４は、図６に示すように、異なる人物８６、８８に向けられた指向性スピーカ１８、２０から音を出力する（Ｓ２０）。例えば、スピーカ制御部４４は、撮像領域８０の内側の人物８６に向けられた指向性スピーカ１８、２０から「動かないでください」と音を出力させて、撮像領域８０の外側の人物８８に向けられた指向性スピーカ１８、２０から「撮像領域内に入ってください」と音を出力させる。
【００３８】
図７は、一部を変更した音出力処理のフローチャートである。この音出力処理では、人物の年齢に応じて、音を出力する。
【００３９】
図７に示すように、スピーカ制御部４４は、シャッターボタン２８が半押しと判定すると（Ｓ１０：Ｙｅｓ）、位置判定指示を出力するとともに（Ｓ３２）、年齢判定指示を画像判定部４２へと出力する（Ｓ４２）。
【００４０】
画像判定部４２は、位置判定指示及び年齢判定指示を取得すると、画像情報を取得して（Ｓ１４）、人物位置を判定して、位置情報をスピーカ制御部４４へと出力する（Ｓ３６）。画像判定部４２は、画像情報に基づいて、画像に含まれる人物の年齢を判定して、年齢情報をスピーカ制御部４４へと出力する（Ｓ４６）。
【００４１】
スピーカ制御部４４は、駆動部３０、３２を駆動させて、指向性スピーカ１８、２０を人物へと向けて（Ｓ１８）、指向性スピーカ１８、２０から音を出力させる（Ｓ２０）。ここで、スピーカ制御部４４は、年齢情報に基づいて、年齢に応じた異なる音を、指向性スピーカ１８、２０から出力させる。例えば、年齢が低い人物の場合、スピーカ制御部４４は、子供向けの軽い音楽を指向性スピーカ１８、２０に出力させる。年齢が高い人物の場合、スピーカ制御部４４は、大人向けの落ち着いた音楽を指向性スピーカ１８、２０に出力させる。
【００４２】
図８は、一部を変更した音出力処理のフローチャートである。この音出力処理では、人物の表情に応じて、音を出力する。
【００４３】
図８に示すように、スピーカ制御部４４は、シャッターボタン２８が半押しと判定すると（Ｓ１０：Ｙｅｓ）、位置判定指示を出力するとともに（Ｓ３２）、表情判定指示を画像判定部４２へと出力する（Ｓ５２）。
【００４４】
画像判定部４２は、位置判定指示及び表情判定指示を取得すると、画像情報を取得して（Ｓ１４）、人物位置の位置情報をスピーカ制御部４４へと出力する（Ｓ３６）。画像判定部４２は、画像情報に基づいて、画像に含まれる人物の表情を判定して、表情情報をスピーカ制御部４４へと出力する（Ｓ５６）。
【００４５】
スピーカ制御部４４は、駆動部３０、３２を駆動させて、指向性スピーカ１８、２０を人物へと向けて（Ｓ１８）、指向性スピーカ１８、２０から音を出力させる（Ｓ２０）。ここで、スピーカ制御部４４は、表情情報に基づいて、表情に応じた異なる音を、指向性スピーカ１８、２０から出力させる。更に、スピーカ制御部４４は、指向性スピーカ１８、２０から出力させる音を変化させて、人物の表情が笑顔になると、その音を継続させる。
【００４６】
図９は、一部を変更した音出力処理のフローチャートである。図１０及び図１１は、人物が適切な位置にいるか否かの判定を説明する図である。この音出力処理では、人物を適切な位置に導くように、音を出力する。
【００４７】
図９に示すように、この音出力処理では、ステップＳ１０、Ｓ３２、Ｓ１４、Ｓ３６が実行される。次に、スピーカ制御部４４は、入力部２４を介して、シャッターボタン２８の操作から一定時間後に撮像動作が実行されるセルフタイマが設定されているか否かを判定する（Ｓ６０）。
【００４８】
スピーカ制御部４４は、セルフタイマが設定されていると判定すると（Ｓ６０：Ｙｅｓ）、入力部２４を介して、撮影位置が指定されているか否かを判定する（Ｓ６２）。例えば、図１０に示すように、ユーザは、画像表示部２２に表示されている他の人物９６を含む画像を見て、撮像領域内の希望する領域を、位置指定部の一例であるタッチパネル２６を介して、指９０により指定する。タッチパネル２６は、指定された位置を、指示信号の一例である指定位置情報としてスピーカ制御部４４に出力する。スピーカ制御部４４は、指定位置情報を取得することにより、撮影位置が指定されていると判定する（Ｓ６２：Ｙｅｓ）。
【００４９】
スピーカ制御部４４は、画像判定部４２から取得した位置情報と指定位置情報とを比較して、人物位置が適切か否かを判定する（Ｓ６４）。例えば、図１１に示す状態の場合、スピーカ制御部４４は、ユーザ９２の位置が指定位置９４と異なるので、人物位置が適切でないと判定して（Ｓ６４：Ｎｏ）、駆動部３０、３２を駆動させて（Ｓ１８）、指向性スピーカ１８、２０から音を出力させる（Ｓ２０）。尚、ユーザ９２は、セルフタイマを設定して、シャッターボタン２８を押した後、撮像領域に移動した人物である。
【００５０】
例えば、スピーカ制御部４４は、駆動部３０を駆動させて、指向性スピーカ１８を位置が適切でないユーザ９２に向け、「右側に移動してください」と指定位置に誘導する音を出力する。また、スピーカ制御部４４は、駆動部３２を駆動させて、指向性スピーカ２０を他の人物９６に向けて、「そのままでいてください」、または、時間が近づくにつれて間隔が狭くなるシャッター音等の音を出力する。
【００５１】
尚、スピーカ制御部４４は、セルフタイマが設定されていない場合（Ｓ６０：Ｎｏ）、撮影位置が指定されていない場合（Ｓ６２：Ｎｏ）、人物位置が適切な場合（Ｓ６４：Ｙｅｓ）、音を出力することなく、音出力処理を終了する。
【００５２】
上述の実施形態における各構成の配置、形状、個数、接続関係等は適宜変更してよい。また、各実施形態を組み合わせてもよい。
【００５３】
例えば、上述の実施形態において、画像判定部４２が、画像処理部４０から位相差情報を取得して、位相差オートフォーカス方式によって被写体までの距離を算出してもよい。尚、他の測距方式、例えば、コントラストオートフォーカス方式等によって当該距離を測定してもよい。この場合、スピーカ制御部４４は、算出された距離に基づいて、指向性スピーカ１８、２０の音量を制御できる。
【００５４】
上述の実施形態では、２個の指向性スピーカ１８、２０を設ける撮像装置１０を例に示したが、３個以上の指向性スピーカを設けてもよい。このように３個以上の指向性スピーカを設ける場合、指向性スピーカは、一直線上に並ばないように配置することが好ましい。例えば、３個の場合、２個の指向性スピーカを水平方向に沿って配置するとともに、残りの１個の指向性スピーカを、２個の指向性スピーカに対して、上方または下方に配置することが好ましい。これにより、小さい駆動により指向性スピーカの出力領域を広げることができる。
【００５５】
ユーザが、シャッターボタン２８を半押しした場合に、図３、５、７、８のいずれを実行させるかを予め選択できるように構成されていてもよい。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５８】
１０  撮像装置、      １２  筐体、      １４  レンズ、      １６  撮像部、      １８  指向性スピーカ、      ２０  指向性スピーカ、      ２２  画像表示部、      ２４  入力部、      ２６  タッチパネル、      ２８  シャッターボタン、      ３０  駆動部、      ３２  駆動部、      ３４  制御部、      ４０  画像処理部、      ４２  画像判定部、      ４４  スピーカ制御部、      ４６  記憶部、      ８０  撮像領域、      ８２  出力領域、      ８４  出力領域、      ８６  人物、      ８８  人物、      ９０  指、      ９２  ユーザ、      ９４  指定位置
９６  人物
【図１】
2013251751.tif 000003
【図２】
2013251751.tif 000004
【図３】
2013251751.tif 000005
【図４】
2013251751.tif 000006
【図５】
2013251751.tif 000007
【図６】
2013251751.tif 000008
【図７】
2013251751.tif 000009
【図８】
2013251751.tif 000010
【図９】
2013251751.tif 000011
【図１０】
2013251751.tif 000012
【図１１】
2013251751.tif 000013